(57)【特許請求の範囲】
【請求項１】
複数の波長帯の波長多重光信号を送信する第１の光端局装置と、
前記第１の光端局装置が送信する波長多重光信号の内、所定の波長多重光信号を透過して波長多重する第２の光端局装置と、
前記第２の光端局装置が送信する波長多重光信号を受信する第３の光端局装置と、
前記第１〜３の光端局装置と光伝送路を介して接続される光分岐挿入装置とを備え、
前記光分岐挿入装置は、
前記第１の光端局装置からの入力光を分岐して第２の光端局装置に出力する第１の光分岐部と、
前記第２の光端局装置からの入力光を分岐する第２の光分岐部と、
前記第２の光分岐部で分岐された光の光パワーをモニタする光パワーモニタ部と、
前記光パワーモニタ部がモニタした光パワーが所定値より小さい場合、前記第３の光端局装置に出力する光として、前記第２の光分岐部からの入力光に代えて前記第１の光分岐部からの入力光を自律的に選択する光経路選択部とを含み、
前記第２の光端局装置は、
前記光分岐挿入装置における前記第１の光端局装置からの入力光の障害時に、前記第３の光端局装置に送信する波長多重光信号の波長や光パワーを前記第２の光端局装置において調整可能な光パワー調整部を含むことを特徴とした波長多重光伝送システム。
【請求項２】
前記光経路選択部は、
前記光パワーモニタ部がモニタした光パワーが所定値より小さい場合、障害判別信号を出力する光経路制御部と、
前記障害判別信号が入力された場合、前記第３の光端局装置に出力する光を、前記第２の光分岐部からの入力光から前記第１の光分岐部からの入力光に切り替える光経路切替部とを有することを特徴とした、請求項１に記載の波長多重光伝送システム。
【請求項３】
前記第２の光端局装置は、
前記光分岐挿入装置から入力された光を増幅又はＡＳＥ光を発出することにより、一定のパワーの光を出力する光増幅部と、
前記光増幅部から入力された光を分岐する第３の光分岐部と、
前記第３の光分岐部から入力された光の内所定の波長帯の光信号を分波して受信する光受信部と、
前記第３の光分岐部から入力された光の内、前記所定の波長帯の光のパワーを所定値以下にし、前記所定の波長帯を除く波長帯の光パワーを一定にする可変フィルタと、
前記第３の光受信部で受信した光信号と同じ波長の光信号を合波して送信する光送信部と、
前記可変フィルタからの入力と前記光送信部からの入力を合波して、前記光分岐挿入装置に出力する光結合部とを含むことを特徴とした、請求項１に記載の波長多重光伝送システム。
【請求項４】
前記光経路切替部は物理的に入力と出力の接続組合せを切替える機能を有する光スイッチであることを特徴とした、請求項２に記載の波長多重光伝送システム。
【請求項５】
前記光経路切替部は、
前記第１の光分岐部から入力される光を減衰する第１の光可変減衰器と、
前記第２の光分岐部から入力される光を減衰する第２の光可変減衰器と、
前記第１及び第２の光可変減衰器から入力される光を結合し、前記光分岐挿入装置の出力に出力する第２の光結合部とからなり、
前記光経路制御部は、
前記光パワーモニタ部がモニタした光パワーが所定値以上の場合、減衰量を最大にする制御信号を前記第１の光可変減衰器に出力し、且つ減衰量を最小にする制御信号を前記第２の光可変減衰器に出力し、
前記光パワーモニタ部がモニタした光パワーが所定値より小さい場合、減衰量を最大にする制御信号を前記第２の光可変減衰器に出力し、且つ減衰量を最小にする制御信号を前記第１の光可変減衰器に出力することを特徴とした、請求項２に記載の波長多重光伝送システム。
【請求項６】
前記第２の光端局装置は、前記光受信部の波長及び光パワーに応じて所定の制御信号を前記可変フィルタに出力するフィルタ制御部を含むことを特徴とした、請求項３に記載の波長多重光伝送システム。
【請求項７】
複数の波長帯の波長多重光信号を送信する第１の光端局装置と、
前記第１の光端局装置が送信する波長多重光信号の内、所定の波長多重光信号を透過して波長多重する第２の光端局装置と、
前記第２の光端局装置が送信する波長多重光信号を受信する第３の光端局装置と、
前記第１〜３の光端局装置と光伝送路を介して接続される光分岐挿入装置とを備える波長多重光伝送システムにおける光伝送方法であって、
前記光分岐挿入装置は、
前記第１の光端局装置から入力された光を第１の光分岐部により分岐して第２の光端局装置に出力し、
前記第２の光端局装置からの入力光を第２の光分岐部により分岐し、前記第２の光分岐部により分岐された光の光パワーが所定値より小さい場合、前記第３の光端局装置に出力する光を、前記第２の光分岐部からの入力光に代えて自律的に前記第１の光分岐部からの入力光を選択し、
前記第２の光端局装置は、
前記光分岐挿入装置における前記第１の光端局装置からの入力光の障害時に、前記第３の光端局装置に送信する波長多重光信号の波長や光パワーを前記第２の光端局装置において調整可能であることを特徴とした光伝送方法。
【発明の詳細な説明】
【技術分野】
【０００１】
本発明は、波長多重光伝送システムに関し、特に、ＯＡＤＭ（Ｏｐｔｉｃａｌ  Ａｄｄ／Ｄｒｏｐ  Ｍｕｌｔｉｐｌｅｘｅｒ）波長多重伝送システムに関する。
【背景技術】
【０００２】
図１３は、一般的なＯＡＤＭ波長多重光伝送システムの構成を示す図である。図１３において、波長多重伝送システムは、システムの幹線となるトランク回線５０及び７０を介して光分岐挿入装置１０と接続された光端局装置２０及び４０と、支線となるブランチ回線６０を介して光分岐挿入装置１０と接続された光分岐挿入装置３０とを備える。一般的にトランク回線５０及び７０並びにブランチ回線６０は光中継器を備える（図示せず）。
【０００３】
ここで、ＯＡＤＭ波長多重伝送システムにおける伝送路障害対策の例として、特許文献１に記載の技術がある。特許文献１の記載において、光分岐挿入装置は、ブランチ局から光分岐挿入装置に入力される信号光をモニタすることでブランチ局と光分岐挿入装置の間に伝送路障害を検知し、光分岐挿入装置内での光経路を切り替える。これにより、ブランチ回線に障害が発生した場合の伝送特性の劣化を防止することができる。
【先行技術文献】
【特許文献】
【０００４】
【特許文献１】国際公開第２００４／０８８８９３号
【発明の開示】
【発明が解決しようとする課題】
【０００５】
しかしながら、伝送路障害はブランチ回線に限られず、送信側の光端局装置と光分岐挿入装置とを接続する送信側トランク回線（図１３に示す送信側トランク回線５０）においても生じ得る。この場合、光分岐挿入装置にはブランチ回線から送信される波長帯の信号のみが受信側トランク回線（図１３に示す受信側トランク回線７０）に伝送する。したがって、光分岐挿入装置から出力される光のトータルパワーが減少する。ここで、一般的に受信側トランク回線の中継器等におけるＥＤＦＡ（Ｅｒｂｉｕｍ−Ｄｏｐｅｄ  Ｏｐｔｉｃａｌ  Ｆｉｂｅｒ  Ａｍｐｌｉｆｉｅｒ）等の光増幅器は励起光一定制御になっており、入力光パワーが低くなっても出力光パワーがほぼ一定になる。したがって、受信側の光端局装置と光分岐挿入装置とを接続する受信側トランク回線の中継器等で波長多重光のトータルパワーが一定となる様に光増幅されると、正常な波長帯が過剰に増幅される。その結果、正常な波長帯の光パワーが過剰に増大して非線形効果の影響を受け易くなり、伝送特性が劣化してしまう。
【０００６】
それ故に本発明の目的は、送信側トランク回線及びブランチ回線のいずれに伝送路障害が発生した場合であっても、正常な光信号の伝送特性の劣化を防止することのできる波長多重光伝送システムを提供することにある。
【課題を解決するための手段】
【０００７】
本発明によれば、複数の波長帯の波長多重光信号を送信する第１の光端局装置と、
前記第１の光端局装置が送信する波長多重光信号の内、所定の波長多重光信号を送受信する第２の光端局装置と、
前記第２の光端局装置が送信する波長多重光信号を受信する第３の光端局装置と、
前記第１〜３の光端局装置と光伝送路を介して接続される光分岐挿入装置とを備え、
前記光分岐挿入装置は、
前記第１の光端局装置からの入力光を分岐して第２の光端局装置に出力する第１の光分岐部と、
前記第２の光端局装置からの入力光を分岐する第２の光分岐部と、
前記第２の光分岐部で分岐された光の光パワーをモニタする光パワーモニタ部と、
前記光パワーモニタ部がモニタした光パワーが所定値より小さい場合、前記第３の光端局装置に出力する光として、前記第２の光分岐部からの入力光に代えて前記第１の光分岐部からの入力光を選択する光経路選択部とを含み、
前記第２の光端局装置は、
前記第３の光端局装置に送信する波長多重光信号の光パワーを一定に調整する光パワー調整部を含むことを特徴とした波長多重光伝送システムが提供される。
【発明の効果】
【０００８】
本発明によれば、送信側トランク回線及びブランチ回線のいずれに伝送路障害が発生した場合であっても、正常信号のパワー変動を抑制し、非線形効果による伝送特性劣化を防ぐことができる。
【図面の簡単な説明】
【０００９】
【図１】本発明の第１の実施形態のＯＡＤＭ波長多重光伝送システムの構成を示す図である。
【図２】本発明の第２の実施形態のＯＡＤＭ波長多重光伝送システムにおける、光分岐挿入装置の構成を示す図である。
【図３】本発明の第２の実施形態のＯＡＤＭ波長多重光伝送システムにおける、ブランチ局の光端局装置の構成を示す図である。
【図４】本発明の第２の実施形態のＯＡＤＭ波長多重光伝送システムにおける、通常時の動作を示すシーケンス図である。
【図５】本発明の第２の実施形態のＯＡＤＭ波長多重光伝送システムにおける、通常時の光信号の流れを示す図である。
【図６】本発明の第２の実施形態のＯＡＤＭ波長多重光伝送システムにおける、送信側トランク回線に障害が発生した場合の動作を示すシーケンス図である。
【図７】本発明の第２の実施形態のＯＡＤＭ波長多重光伝送システムにおける、送信側トランク回線に障害が発生した場合の光信号の流れを示す図である。
【図８】本発明の第２の実施形態のＯＡＤＭ波長多重光伝送システムにおける、ブランチ回線に障害が発生した場合の動作を示すシーケンス図である。
【図９】本発明の第２の実施形態のＯＡＤＭ波長多重光伝送システムにおける、ブランチ回線に障害が発生した場合の光信号の流れを示す図である。
【図１０】本発明の第３の実施形態のＯＡＤＭ波長多重光伝送システムにおける、光分岐挿入装置の構成を示す図である。
【図１１】本発明の第４の実施形態のＯＡＤＭ波長多重光伝送システムにおける、光分岐挿入装置の構成を示す図である。
【図１２】本発明の第５の実施形態のＯＡＤＭ波長多重光伝送システムにおける、ブランチ局の光端局装置の構成を示す図である。
【図１３】一般的なＯＡＤＭ波長多重光伝送システムの構成を示す図である。
【発明を実施するための形態】
【００１０】
（第１の実施形態）
次に、本発明の実施形態について図面を参照して詳細に説明する。図１は、第１の実施形態に係る波長多重光伝送システムの構成を示す図である。図１の波長多重光伝送システムは、複数の波長帯の波長多重光信号を送信する光端局装置２００と、光端局装置２００が送信する波長多重光信号の内、所定の波長多重光信号を送受信する光端局装置３００と、光端局装置３００が送信する波長多重光信号を受信する光端局装置４００と、光端局装置２００、３００及び４００と光伝送路を介して接続される光分岐挿入装置１００とを備え、光分岐挿入装置１００は、光端局装置２００からの入力光を分岐して光端局装置３００に出力する光分岐部１１０と、光端局装置３００からの入力光を分岐する光分岐部１３０と、光分岐部１３０で分岐された光の光パワーをモニタする光パワーモニタ部１４０と、光パワーモニタ部１４０がモニタした光パワーが所定値より小さい場合、光端局装置４００に出力する光として、光分岐部１３０からの入力光に代えて光分岐部１１０からの入力光を選択する光経路選択部１２０とを含み、光端局装置３００は、光端局装置４００に送信する波長多重光信号の光パワーを一定に調整する光パワー調整部３１０を含むことを特徴とした波長多重光伝送システムである。
【００１１】
本実施形態によれば、送信側トランク回線５００及びブランチ回線６００のいずれにおいて伝送路障害が発生しても、正常な波長帯の光信号のパワーを一定に保ち、非線形効果による伝送特性の劣化を防止することができる。
【００１２】
（第２の実施形態）
次に本発明の第２の実施形態について説明する。本実施形態は、図１の構成において、光分岐挿入装置１００及び光端局装置３００の構成が異なる。図２は、本実施形態に係る光分岐挿入装置１００の構成を示す図である。図２において、光分岐挿入装置１００は、光分岐部１１０と、光経路切替部１２１と、光経路制御部１２２と、光分岐部１３０と、光パワーモニタ部１４０とを含む。ここで、図２示す光経路切替部１２１と光経路制御部１２２は、図１における光経路選択部１２０に相当する。光分岐部１１０は、送信側トランク回線５００から入力される光を光経路切替部１２１とブランチ回線６００とに分岐する。光分岐部１３０は、ブランチ回線６００から入力される光信号を光経路切替部１２１と光パワーモニタ部１４０とに分岐する。光パワーモニタ部１４０に入力された光は電気信号に変換され、変換された電気信号は光経路制御部１２２に入力される。光経路制御部１２２は光経路切替部１２１を制御して、受信側トランク回線７００に出力する光を光分岐部１１０からの光と光分岐部１３０からの光とのいずれかに切り替えさせる。なお、本実施形態において、図１におけるトランク回線５００及び７００並びにブランチ回線６００は光中継器を備え（図示せず）、光中継器はＥＤＦＡ等の光増幅器を備える。
【００１３】
図３は、本実施形態に係る光端局装置３００の構成を示す図である。光端局装置３００は、光増幅部３１１と、光分岐部３２０と、可変フィルタ３１２と、光結合部３３０と、光分波部３４１と複数の光受信ノード３４２−１〜３４２−ｎを有する光受信部３４０と、光合波部３５１と複数の光送信ノード３５２−１〜３５２−ｎを有する光送信部３５０とを含む。ここで、図３示す光増幅部３１１と可変フィルタ３１２は、図１における光パワー調整部３１０に相当する。光増幅部３１１は、ブランチ回線６００から入力される光を増幅する。光分岐部３２０は、光増幅部３１１から入力される光を、一方は可変フィルタ３１２に、もう一方は光分波部３４１に分岐する。可変フィルタ３１２は、光分岐部３２０からの光の内特定の波長帯を帯域制限して透過させ（透過波長帯）、光結合部３３０の一方に出力する。波長分波部３４１は、光分岐部３２０からの光の内特定の波長帯を分離し（分離波長帯）、ＷＤＭ（Ｗａｖｅｌｅｎｇｔｈ  Ｄｉｖｉｓｉｏｎ  Ｍｕｌｔｉｐｌｅｘ）通信の各チャネル波長単位に分波する。各光受信ノード３４２−１〜３４２−ｎは、分波された各波長の光信号を受信する。各光送信ノード３５２−１〜３５２−ｎは、光受信ノード３４２−１〜３４２−ｎが受信した光信号の波長に対応する波長の光信号を送信する。波長合波部３５１は、各光送信ノード３５２−１〜３５２−ｎから送信された複数の波長の光信号を合波し、光結合部３３０の一方に出力する。光結合部３３０で結合された光は、ブランチ回線６００へ出力される。ここで、可変フィルタには、液晶テレビ等に使用されるＬＣＯＳ（Ｌｉｑｕｉｄ  Ｃｙｓｔａｌ  Ｏｎ  Ｓｉｌｉｃｏｎ）技術を応答して光の遮断・透過を高分解能で任意に設定できるデバイスを前提にするが、多義術で同等な性能を満たすものがある場合は置き換えることもできる。
【００１４】
次に、本実施形態に係る波長多重光伝送システムの動作を説明する。図４は、伝送路障害が発生していない通常時の動作を示すシーケンス図である。また、図５は、本実施形態の構成と共に、通常時の各波長帯の信号の流れを示す図である。ここで、送信側トランク局及び受信側トランク局は波長多重光伝送システムにおいて、トランク回線の終端に設置される局であり、ブランチ局は、ブランチ回線の終端に設置される局である場合を例に説明する。また、本実施形態において、波長多重光伝送システムは送受双方向通信であり、送信側トランク局及び受信側トランク局は送受信機能を備える。ただし、双方向通信における上り方向のシステム及び下り方向のシステムは対象な構成であるため、本実施形態では送信側トランク局を送信側、受信側トランク局を受信側と仮定して説明する。また、送信側トランク局の光端局装置２００は、複数の波長帯ａ〜ｃの光信号が合波された波長多重光を送信する場合を例に説明する。
【００１５】
まず、送信側トランク局が備える光端局装置２００は、波長帯ａ〜ｃが波長多重された光信号を光分岐挿入装置１００に送信する（ステップＳ１ａ及びＳ２ａ）。光分岐挿入装置１００は、光端局装置２００が送信した波長帯ａ〜ｃの光信号を分岐して、ブランチ局が備える光端局装置３００に送信する（ステップＳ３ａ）。ここで、光分岐挿入装置１００内において、図２に示す光分岐部１１０は、送信側トランク回線から入力された波長帯ａ〜ｃの光信号を、ブランチ回線６００へと分岐する。
【００１６】
光端局装置３００は、ブランチ回線から入力された光信号を、図３に示す光増幅部３１１及び可変フィルタ３１２で合計光パワーを一定にしてブランチ回線６００に出力する。ここで、光増幅部３１１は、ブランチ回線から光端局装置３００に入力された光信号を、合計光パワーが一定の値になるように光増幅して出力する（ステップＳ４ａ）。
【００１７】
また、可変フィルタ３１２は、光分岐部３２０から入力される光信号を帯域制限することにより、分離波長帯ａのパワーを所定の値以下にし、同時に分離波長帯ａ以外の波長帯の合計光出力パワーを一定にする（ステップＳ５ａ）。
【００１８】
光端局３００は、光分岐挿入装置１００に光信号を出力する（ステップＳ６ａ）。このとき、正常に光信号が光分岐挿入装置１００に入力されているため、光パワーモニタ部１４０は所定の光パワーを検出する（ステップＳ７ａ）。このとき、光経路制御部１２２は、ブランチ回線が正常であると判別し、正常判別信号を光経路切替部１２１に送信する。正常判別信号を受けた光経路切替部１２１は、ブランチ回線６００を受信側トランク回線７００に接続する（ステップＳ８ａ）。
【００１９】
光分岐挿入装置１００は、受信側トランク局の光端局装置４００に光信号を出力する（ステップＳ９ａ）。このとき、光端局装置４００は波長帯ａ〜ｃの光信号を受信する（Ｓ１２ａ）。また、光端局装置２００は再び光分岐挿入装置１００に波長帯ａ〜ｃが波長多重された光信号を出力する（ステップＳ１０ａ）。光分岐挿入装置１００は、ブランチ回線６００を受信側トランク回線７００に接続しているため、ブランチ局の光端局装置３００に光信号を出力する（ステップＳ１１ａ）。
【００２０】
次に、本実施形態に係る波長多重伝送システムにおいて、送信側トランク回線５００に伝送障害が発生した場合の動作を説明する。図６は、送信側トランク回線５００に伝送障害が発生した場合の動作を示すシーケンス図である。また、図７は、本実施形態の構成と共に、送信側トランク回線５００に伝送障害が発生した場合の各波長帯の信号の流れを示す図である。
【００２１】
送信側トランク局が備える光端局装置２００は、光分岐挿入装置１００に波長帯ａ〜ｃが波長多重された光信号を送信する（ステップＳ１ｂ）。しかし、伝送障害が送信側トランク回線５００を伝送する光信号を遮断するため、送信側トランク回線５００から光分岐挿入装置１００に入力されるべき光信号が入力されない（ステップＳ２ｂ）。従って、光分岐挿入装置１００は、光端局装置３００に光信号を出力できない。
【００２２】
光端局装置３００に光信号が入力されないため、図３に示す光増幅部３１１には光信号が入力されない。光増幅部３１１に光信号が入力されない場合、光増幅部３１１は光増幅をする対象を失うため、合計光パワーが一定の値になるように出力するための光パワーが不足する。このとき、光増幅部３１１は、ＡＳＥ（Ａｍｐｌｉｆｉｅｄ  Ｓｐｏｎｔａｎｅｏｕｓ  Ｅｍｉｓｓｉｏｎ）光を発出することで光パワーの不足分を補う（ステップＳ４ｂ）。
【００２３】
そして、可変フィルタ３１２は、光分岐部３２０から入力される光信号を帯域制限することにより、分離波長帯ａのパワーを所定の値以下にし、同時に分離波長帯ａ以外の波長帯の合計光出力パワーを一定にする（ステップＳ５ｂ）。このように帯域制限された光が、光結合部３３０において分離波長帯ａの光信号と結合するため、光端局装置３００からブランチ回線６００に出力される光の合計パワーを通常時と同レベルに調整することができる。
【００２４】
光端局装置３００は、光分岐挿入装置１００に光信号を出力する（ステップＳ６ｂ）。このとき、通常時と同レベルの光パワーが光分岐挿入装置１００に入力されているため、光パワーモニタ部１４０は所定の光パワーを検出する（ステップＳ７ｂ）。このとき、光経路制御部１２２は、ブランチ回線が正常であると判別し、正常判別信号を光経路切替部１２１に送信する。正常判別信号を受けた光経路切替部１２１は、ブランチ回線６００を受信側トランク回線７００に接続する（ステップＳ８ａ）。
【００２５】
光分岐挿入装置１００は、受信側トランク局の光端局装置４００に光信号を出力する（ステップＳ９ｂ）。このとき、光端局装置４００は、透過波長帯ｂ及びｃについては正常な光信号ではないため受信することができないが、分離波長帯ａについては非線形効果の影響も無く正常に信号を伝送されている光信号であるため受信することができる（ステップＳ１２ｂ）。なお、送信側トランク回線５００には伝送障害が発生しているため、光端装置２００から送信された光信号は依然として光分岐挿入装置１００には入力されない（ステップＳ１０ｂ）。
【００２６】
次に、本実施形態に係る波長多重伝送システムにおいて、ブランチ回線６００に伝送障害が発生した場合の動作を説明する。図８は、ブランチ回線６００に伝送障害が発生した場合の動作を示すシーケンス図である。また、図９は、本実施形態の構成と共に、ブランチ回線６００に伝送障害が発生した場合の各波長帯の信号の流れを示す図である。送信側トランク局が備える光端局装置２００は、光分岐挿入装置１００に波長帯ａ〜ｃが波長多重された光信号を送信する（ステップＳ１ａ及びＳ２ａ）。
【００２７】
光分岐挿入装置１００は、光端局装置２００が送信した波長帯ａ〜ｃの光信号を分岐して、ブランチ局が備える光端局装置３００に送信する。しかし、伝送障害がブランチ回線６００を伝送する光信号を遮断するため、ブランチ回線６００から光端局装置３００に入力されるべき信号光が入力されない（ステップＳ３ｃ）。
【００２８】
従って、光端局装置３００に光信号が入力されないため、図３に示す光増幅部３１１には光信号が入力されない。前述した様に、光増幅部３１１に光信号が入力されない場合、光増幅部３１１はＡＳＥ光を発出する（ステップＳ４ｃ）。そして、可変フィルタ３１２は、光分岐部３２０から入力される光信号を帯域制限することにより、分離波長帯ａのパワーが所定の値以下にし、同時に分離波長帯ａ以外の波長帯の合計光出力パワーを一定にする（ステップＳ５ｃ）。
【００２９】
光端局３００は、光分岐挿入装置１００に光信号を出力する。しかし、伝送障害がブランチ回線６００を伝送する光信号を遮断するため、ブランチ回線６００から光分岐挿入装置１００に入力されるべき信号光が入力されない（ステップＳ６ｃ）。この時、正常に光信号が光分岐挿入装置１００に入力されないため、光パワーモニタ部１４０は所定の光パワーを検出しない（ステップＳ７ｃ）。このとき、光経路制御部１２２は、ブランチ回線に障害が発生していると判別し、障害判別信号を光経路切替部１２１に送信する。障害判別信号を受けた光経路切替部１２１は、送信側トランク回線５００を受信側トランク回線７００に接続する（ステップＳ８ｃ）。
【００３０】
光端装置２００は再び光分岐挿入装置１００に波長帯ａ〜ｃが波長多重された光信号を送信する（ステップＳ１０ｃ）。光分岐挿入装置１００は、送信側トランク回線５００を受信側トランク回線７００に接続しているため、受信側トランク局の光端局装置４００に光信号を出力する。（ステップＳ１１ｃ）。この場合、光端局装置４００は、分離波長帯ａについては正常な光信号ではないため受信することができないが、透過波長帯ｂ及びｃについては非線形効果の影響も無く正常に伝送されている光信号であるため受信することができる（ステップＳ１２ｃ）。
【００３１】
以上のように、本実施形態によれば、第１の実施形態と同様に、送信側トランク回線５００及びブランチ回線６００のいずれにおいて伝送路障害が発生しても、正常な波長帯の光信号のパワーを一定に保ち、非線形効果による伝送特性の劣化を防止するという効果を得ることができる。送信側トランク回線５００に伝送路障害が発生した場合は、ブランチ局が備える光端局装置３００が合計光パワーを一定に出力することにより、また、ブランチ回線６００に伝送路障害が発生した場合は、光分岐挿入装置１００が送信側トランク回線５００からの光信号を受信側トランク回線７００に出力することにより、正常な波長帯の信号を過剰に増幅させることなく伝送できるからである。
【００３２】
なお、可変フィルタ３１２では、チャンネル単位ではなく透過するチャンネル群に合わせてフィルタの波長範囲を設定してもよい。抜き出したＡＳＥ光を、全て光パワー不足分を補う光として効率的に使用できるため、チャンネル単位にＡＳＥ光を切り出す手法と比較して、パワー損失を小さくすることができる。
【００３３】
（第３の実施形態）
次に本発明の第３の実施形態について説明する。本実施形態は、第２の実施形態と比較すると、光分岐挿入装置１００の構成が異なる。以下、第２の実施形態と同様の構成要素には同一の参照符号を付し、説明を省略する。
【００３４】
図１０は、本実施形態に係る光分岐挿入装置１００aの構成を示す図である。図１０において、光スイッチ１２３は図２における光経路切替部１２１に相当する。光経路制御部１２２は、光スイッチ１２３に正常判別信号又は障害判別信号を出力する。光スイッチ１２３は、正常判別信号を受けた場合は、ブランチ回線６００を受信側トランク回線７００に物理的に接続し、送信側トランク回線５００と受信側トランク回線７００を物理的に分断する。また、光スイッチ１２３は、障害判別信号を受けた場合は、送信側トランク回線５００を受信側トランク回線７００に物理的に接続し、ブランチ回線６００と受信側トランク回線７００に物理的に分断する。
【００３５】
以上のように、光スイッチを用いて光経路を切替えることも可能である。本実施形態によれば、第１及び第２の実施形態と同様に、送信側トランク回線５００及びブランチ回線６００のいずれにおいて伝送路障害が発生しても、正常な波長帯の光信号のパワーを一定に保ち、非線形効果による伝送特性の劣化を防止するという効果を得ることができる。
【００３６】
（第４の実施形態）
次に本発明の第４の実施形態について説明する。本実施形態は、第２の実施形態と比較すると、光分岐挿入装置１００の構成が異なる。以下、第２の実施形態と同様の構成要素には同一の参照符号を付し、説明を省略する。
【００３７】
図１１は、本実施形態に係る光分岐挿入装置１００ｂの構成を示す図である。図１１において、２つの可変光減衰器１２４及び１２５並びに光結合部１２６は図２における光経路切替部１２１に相当する。可変光減衰器１２４は光分岐部１１０と光結合部１２６との間に、可変光減衰器１２５は光分岐部１３０と光結合部１２６との間に配置される構成である。
【００３８】
光経路制御部１２２は減衰量を制御する信号を可変光減衰器１２４及び１２５に出力する。ブランチ回線６００を受信側トランク回線７００に接続する場合、光経路制御部１２２は、減衰量を最小にする制御信号を可変光減衰器１２４に、減衰量を最大にする制御信号を可変光減衰器１２５に出力する。送信側トランク回線５００を受信側トランク回線７００に接続する場合、光経路制御部１２２は、減衰量を最小にする制御信号を可変光減衰器１２５に、減衰量を最大にする制御信号を可変光減衰器１２４に出力する。
【００３９】
以上のように、２つの可変光減衰器と光結合部とを用いて光経路を切替えることも可能である。本実施形態によれば、第１〜３の実施形態と同様に、送信側トランク回線５００及びブランチ回線６００のいずれにおいて伝送路障害が発生しても、正常な波長帯の光信号のパワーを一定に保ち、非線形効果による伝送特性の劣化を防止するという効果を得ることができる。
【００４０】
（第５の実施形態）
次に本発明の第５の実施形態について説明する。本実施形態は、第２の実施形態と比較すると、ブランチ局が備える光端局装置３００の構成が異なる。以下、第２の実施形態と同様の構成要素には同一の参照符号を付し、説明を省略する。
【００４１】
図１２は、本実施形態に係る光端局装置３００ａの構成を示す図である。図１２において、光増幅部３１１、可変フィルタ３１２及びフィルタ制御部３１３は図１における光パワー調整部３１０に相当する。フィルタ制御部３１３は、光受信部３４０が受信した波長帯の情報と光パワーの情報を取得し、取得した情報から可変フィルタ３１２の帯域を決定し、可変フィルタ３１２に帯域を制御する信号を出力する。可変フィルタ３１２は、フィルタ制御部３１３からの信号に応じて光分岐部３２０から入力される光信号を帯域制限することにより、分離波長帯ａのパワーを所定の値以下にし、同時に分離波長帯ａ以外の波長帯の合計光出力パワーを一定にする。
【００４２】
以上のように、本実施形態によれば、第１〜４の実施形態と同様に、送信側トランク回線５００及びブランチ回線６００のいずれにおいて伝送路障害が発生しても、正常な波長帯の光信号のパワーを一定に保ち、非線形効果による伝送特性の劣化を防止するという効果を得ることができる。さらに、光受信部３４０が受信した波長帯の情報と光パワーの情報を取得し、取得した情報から可変フィルタ３１２の帯域を決定するため、可変フィルタ３１２は、システムにおいて使用波長帯に変更があった場合にも適当な帯域制限をすることができる。
【００４３】
以上に記載の実施形態は、本発明の例示であって、本発明においては実施形態に示す以外の様々な構成をとり得る。
【００４４】
（実施形態の他の表現）
以上に記載の実施形態の一部又は全部は、以下の付記の様にも記載され得るが、以下には限られない。
【００４５】
（付記）
（付記１）
複数の波長帯の波長多重光信号を送信する第１の光端局装置と、
前記第１の光端局装置が送信する波長多重光信号の内、所定の波長多重光信号を送受信する第２の光端局装置と、
前記第２の光端局装置が送信する波長多重光信号を受信する第３の光端局装置と、
前記第１〜３の光端局装置と光伝送路を介して接続される光分岐挿入装置とを備え、
前記光分岐挿入装置は、
前記第１の光端局装置からの入力光を分岐して第２の光端局装置に出力する第１の光分岐部と、
前記第２の光端局装置からの入力光を分岐する第２の光分岐部と、
前記第２の光分岐部で分岐された光の光パワーをモニタする光パワーモニタ部と、
前記光パワーモニタ部がモニタした光パワーが所定値より小さい場合、前記第３の光端局装置に出力する光として、前記第２の光分岐部からの入力光に代えて前記第１の光分岐部からの入力光を選択する光経路選択部とを含み、
前記第２の光端局装置は、
前記第３の光端局装置に送信する波長多重光信号の光パワーを一定に調整する光パワー調整部を含むことを特徴とした波長多重光伝送システム。
（付記２）
前記光経路選択部は、
前記光パワーモニタ部がモニタした光パワーが所定値より小さい場合、障害判別信号を出力する光経路制御部と、
前記障害判別信号が入力された場合、前記第３の光端局装置に出力する光を、前記第２の光分岐部からの入力光から前記第１の光分岐部からの入力光に切り替える光経路切替部とを有することを特徴とした、付記１に記載の波長多重光伝送システム。
（付記３）
前記第２の光端局装置は、
前記光分岐装置から入力された光を増幅又はＡＳＥ光を発出することにより、一定のパワーの光を前記光分岐部に出力する光増幅部と、
前記光増幅部から入力された光を分岐する光分岐部と、
前記光分岐部から入力された光の内所定の波長帯の光信号を分波して受信する光受信部と、
前記光分岐部から入力された光の内、前記所定の波長帯の光のパワーを所定値以下にし、前記所定の波長帯を除く波長帯の光パワーを一定にする可変フィルタと、
前記光受信部で受信した光信号と同じ波長の光信号を合波して送信する光送信部と、
前記可変フィルタからの入力と前記光送信部からの入力を合波して、前記光分岐挿入装置に出力する光結合部とを含むことを特徴とした、付記１に記載の波長多重光伝送システム。
（付記４）
前記光経路切替部は物理的に入力と出力の接続組合せを切替える機能を有する光スイッチであることを特徴とした、付記２に記載の波長多重光伝送システム。
（付記５）
前記光経路切替部は、
前記第１の光分岐部から入力される光を減衰する第１の光可変減衰器と、
前記第２の光分岐部から入力される光を減衰する第２の光可変減衰器と、
前記第１及び第２の光可変減衰器から入力される光を結合し、光分岐挿入装置の出力に出力する第２の光結合部とからなり、
前記光経路制御部は、
前記光パワーモニタ部がモニタした光パワーが所定値以上の場合、減衰量を最大にする制御信号を前記第１の光可変減衰器に出力し、且つ減衰量を最小にする制御信号を前記第２の光可変減衰器に出力し、
前記光パワーモニタ部がモニタした光パワーが所定値より小さい場合、減衰量を最大にする制御信号を前記第２の光可変減衰器に出力し、且つ減衰量を最小にする制御信号を前記第１の光可変減衰器に出力することを特徴とした、付記２に記載の波長多重光伝送システム。
（付記６）
前記第２の光端局装置は、前記光受信部の波長及び光パワーに応じて所定の制御信号を前記可変フィルタに出力するフィルタ制御部を含むことを特徴とした、付記３に記載の波長多重光伝送システム。
（付記７）
複数の波長帯の波長多重光信号を送信する第１の光端局装置と、
前記第１の光端局装置が送信する波長多重光信号の内、所定の波長多重光信号を送受信する第２の光端局装置と、
前記第２の光端局装置が送信する波長多重光信号を受信する第３の光端局装置と、
前記第１〜３の光端局装置と光伝送路を介して接続される光分岐挿入装置とを備える波長多重光伝送システムにおける光伝送方法であって、
前記光分岐挿入装置は、
前記第１の光端局装置からの入力光を分岐して第２の光端局装置に出力し、
前記光パワーモニタ部がモニタした光パワーが所定値より小さい場合、前記第３の光端局装置に出力する光を、前記第２の光分岐部からの入力光に代えて前記第１の光分岐部からの入力光を選択し、
前記第２の光端局装置は、
前記第３の光端局装置に送信する波長多重光信号の光パワーを一定に調整することを特徴とした光伝送方法。
【符号の説明】
【００４６】
１００                    光分岐挿入装置
２００、３００、４００    光端局装置
５００                    送信側トランク回線
６００                    ブランチ回線
７００                    受信側トランク回線
１１０                    第１の光分岐部
１２０                    光経路選択部
１３０                    第２の光分岐部
１４０                    光パワーモニタ部
３１０                    光パワー調整部
１２１                    光経路切替部
１２２                    光経路制御部
３１１                    光増幅部
３１２                    可変フィルタ
３２０                    光分岐部
３３０                              光結合部
３４０                    光受信部
３５０                    光送信部
３４１                    光分波部
３５１                    光合波部
３４２                    光受信ノード
３５２                    光送信ノード
１２３                    光スイッチ
１２４                    第１の可変光減衰部
１２５                    第２の可変光減衰部
３１３                    フィルタ制御部
１０                      光分岐挿入装置
２０、３０、４０          光端局装置
５０                      送信側トランク回線
６０                      ブランチ回線
７０                      受信側トランク回線
【図１】
0005910089.tif 000002
【図２】
0005910089.tif 000003
【図３】
0005910089.tif 000004
【図４】
0005910089.tif 000005
【図５】
0005910089.tif 000006
【図６】
0005910089.tif 000007
【図７】
0005910089.tif 000008
【図８】
0005910089.tif 000009
【図９】
0005910089.tif 000010
【図１０】
0005910089.tif 000011
【図１１】
0005910089.tif 000012
【図１２】
0005910089.tif 000013
【図１３】
0005910089.tif 000014